(57)【特許請求の範囲】
【請求項１】
指針で時刻を表示するとともに、回転錘が揺動自在に設けられているムーブメントを備えた偏心錘付時計であって、
前記回転錘が前記ムーブメントと衝突する際に発生する振動を吸収するための緩衝材が前記回転錘と前記ムーブメントとの間に設けられ、
前記緩衝材は、前記回転錘と前記ムーブメントの一方に設けられ、他方に向かって突出した形状であって、
前記回転錘は、前記ムーブメントに回転自在に設けられた腕部と、この腕部の自由端となる部分に設けられている重錘部とを有し、
前記腕部は前記ムーブメントに設けられた回転軸にネジで固定され、
前記ネジの頭部と前記腕部との間、および、前記腕部と前記回転軸との間には、前記回転錘の前記縦振動を抑制する制振材がそれぞれ介装されていることを特徴とする偏心錘付時計。
【請求項２】
請求項１において、前記制振材は、ゴム、軟質合成樹脂および熱可塑性エラストマのいずれかからなる弾性体であることを特徴とする偏心錘付時計。
【請求項３】
請求項１において、前記制振材は、硬質の金属をバネ状に形成した弾性体であることを特徴とする偏心錘付時計。
【請求項４】
請求項１において、前記制振材は、裏面が剥離紙で被覆可能な粘着面とされ、この粘着面で固定されるものであることを特徴とする偏心錘付時計。
【発明の詳細な説明】
【０００１】
【発明の属する技術分野】
本発明は、内部に設けられた偏心錘の揺動により、ゼンマイや発電機を駆動する機械的エネルギーを得るようにした偏心錘付時計に関するものである。
【０００２】
【背景技術】
従来より、分針や時針等の指針の駆動は、ゼンマイに蓄積された機械的エネルギーで行うが、運針速度の制御は、電子回路で行う機械式電子制御時計が利用されている（特開平８−５７５８号公報等）。
すなわち、機械式電子制御時計では、指針が連結された輪列で、ゼンマイに蓄えられた機械エネルギーを発電機に伝達し、発電機で機械エネルギーを電気エネルギーに変換し、その電気エネルギーを回転制御手段に供給し、この回転制御手段で発電機に設けられたロータの回転速度を制御している。
そして、回転制御手段として、ＩＣや水晶振動子を備えた制御回路を設ければ、運針速度の制御が高精度に行えるので、普及品の時計であっても、１ヶ月に±１５秒以内の精度を実現でき、高級品にあっては、１ヶ年に±１０秒以内の高精度が実現できる。
【０００３】
また、従来より、腕等に装着されるとともに、腕等の動きに応じて揺動する偏心錘を備え、この偏心錘が発生するトルクで、ゼンマイの巻き上げや、発電機の回転駆動を行う自動巻時計や発電機能付時計が利用されている。
このような偏心錘付時計は、腕等に装着されている限り、ゼンマイの巻き上げや、発電機の回転駆動が自動的に行われ、停止することなく、半永久的に連続駆動可能となっている。
【０００４】
ここで、特開平１１−２２３６７６号公報には、偏心錘に加わる大きな衝撃による破損を未然に防止できるようにした偏心錘付時計が示されている。
すなわち、この偏心錘付時計には、偏心錘を径方向外側へ移動可能に支持する可動支持部材と、偏心錘の回転領域の領域外に配置された一対の支持リングとが設けられている。
このような偏心錘付時計の偏心錘に、当該偏心錘の回転方向に沿った大きな衝撃が加わると、偏心錘が径方向外側へ移動し、偏心錘の外周縁が支持リングと接触する。これにより、回転する偏心錘が摩擦制動され、大きな衝撃が加わっても、発電機やゼンマイに大きなトルクが急激に加わらないようになり、発電機やゼンマイへ駆動力を伝達する歯車の歯等の損傷が防止されるようになっている。
また、一対の支持リングは、偏心錘の外周部分を、その間に挟むように配置されているので、その回転軸の長手方向に沿って大きな衝撃が偏心錘に加わっても、その両側にある支持リングが偏心錘の軸方向の移動を制限し、偏心錘を軸方向に大きく振動させない。これにより、大きな衝撃が加わっても、偏心錘を回転自在に支持する回転軸の損傷が防止されるようになっている。
【０００５】
【発明が解決しようとする課題】
このような偏心錘付時計では、大きな衝撃による損傷は防止できるが、衝撃による偏心錘の軸方向の振動を速やかに減衰することはできず、偏心錘の軸方向の振動が持続すると、機械式電子制御時計では、衝撃による振動が、複数の歯車を備えた輪列および発電機に達し、この振動が、発電機に設けられたロータと、その軸受との摩擦抵抗、ならびに、輪列の歯車と、その軸受との摩擦抵抗を低下させ、時計を進ませてしまうので、頻繁に衝撃を受けると、計時における指針の指示誤差である計時誤差が大きくなりやすい、という問題がある。
特に、衝撃を受ける頻度の高い腕時計にあっては、計時誤差が無視できないくらい大きくなる可能性が高い。
また、回転制御手段として、揺動するテンプの振動周期を制御する調速機を備えた機械式時計でも、偏心錘の軸方向の振動が持続すると、振動が、輪列を形成する歯車と、その軸受との摩擦抵抗、および、テンプと、その軸受との摩擦抵抗を低下させて時計を進ませてしまうので、頻繁に衝撃を受けると、計時誤差が大きくなりやすい、という問題がある。
同様に、指針で時刻を表示するアナログクォーツ時計においても、偏心錘の回転駆動力で発電を行うものにあっては、偏心錘の軸方向の振動が持続すると、振動が、輪列を形成する歯車と、その軸受との摩擦抵抗を低下させ、１秒ずつ進む秒針が２秒分進む、二秒飛び等が生じるおそれがあるので、この二秒飛び等により、時計が進んでしまい、頻繁に衝撃を受けると、計時誤差が大きくなりやすい、という問題がある。
【０００６】
本発明の目的は、衝撃を受けても、衝撃による計時誤差が低減される偏心錘付時計を提供することにある。
【０００７】
【課題を解決するための手段】
本発明は、指針で時刻を表示するとともに、回転錘が揺動自在に設けられているムーブメントを備えた偏心錘付時計であって、
前記回転錘が前記ムーブメントと衝突する際に発生する振動を吸収するための緩衝材が前記回転錘と前記ムーブメントとの間に設けられ、
前記緩衝材は、前記回転錘と前記ムーブメントの一方に設けられ、他方に向かって突出した形状であって、
前記回転錘は、前記ムーブメントに回転自在に設けられた腕部と、この腕部の自由端となる部分に設けられている重錘部とを有し、
前記腕部は前記ムーブメントに設けられた回転軸にネジで固定され、
前記ネジの頭部と前記腕部との間、および、前記腕部と前記回転軸との間には、前記回転錘の前記縦振動を抑制する制振材がそれぞれ介装されていることを特徴とする。
このような本発明では、衝撃により、回転錘が軸方向に振動しようとしても、回転錘が振動吸収手段に当接し、回転錘の振動を振動吸収手段が吸収し、回転錘の振動は、速やかに減衰するので、当該振動が発電機やテンプ等の調速手段や輪列に到達しても、振動で時計が進むことが殆どなくなり、衝撃による計時誤差が低減される。
【０００８】
以上のような偏心錘付時計において、前記回転錘と前記ムーブメントとの間には振動を吸収する緩衝材が採用されている。このようにすれば、衝撃により、回転錘がムーブメントに近づく方向へ移動すると、まず、緩衝材に当接するので、回転錘とムーブメントとの直接衝突が防止され、回転錘が大きく振動することがない。しかも、回転錘が振動しても、当該振動を緩衝材が吸収し、回転錘の振動を速やかに減衰させるので、当該振動が発電機やテンプ等の調速手段や、輪列を形成する歯車に到達しても、軸受との摩擦抵抗を殆ど低下させなくなる。このため、衝撃が加わっても時計が進むことが殆どなくなり、衝撃による計時誤差が一層低減される。
ここで、回転錘としては、時計方向および反時計方向のいずれか一方向にのみ回転可能となったもの、および、時計方向および反時計方向の両方向に回転可能となったもののいずれもが採用できる。
そして、緩衝材の突出寸法を適宜設定することにより、回転錘がムーブメントに近づく方向へ移動すると、回転錘がムーブメントに当接する前に、緩衝材に必ず当接するようになるので、回転錘とムーブメントとの直接衝突が確実に防止されるうえ、回転錘が大きく振動することがなくなり、衝撃による計時誤差が確実に低減されるようになる。
さらに、前述のように、前記腕部は、前記ムーブメントに設けられた回転軸に、当該腕部を貫通するネジで固定され、前記ネジの頭部と前記腕部との間、および、前記腕部と前記回転軸との間には、前記回転錘の前記縦振動を抑制する制振材がそれぞれ介装されているので、通常の回転動作において、回転錘が振動しても、制振材が回転錘の振動を吸収し、ムーブメント側へ伝達させないので、当該振動が発電機やテンプ等の調速手段に到達せず、振動による計時誤差が低減される。
【０００９】
また、前述のような偏心錘付時計において、前記緩衝材としては、ゴム、軟質合成樹脂および熱可塑性エラストマのいずれからなる比較的柔らかい弾性体が採用できる。
このような比較的柔らかい弾性体からなる緩衝材を採用すれば、緩衝材が小さな力でも容易に変形するので、偏心錘の動きに反発することなく、緩衝材が柔軟に変形するようになり、薄い緩衝材でも偏心錘の振動を効率よく吸収し、偏心錘とムーブメントとの隙間が狭くとも、偏心錘の振動を確実に減衰できる。
そのうえ、ゴム、軟質合成樹脂および熱可塑性エラストマのいずれからなる弾性体は、様々な形状に加工することが容易なので、偏心錘とムーブメントとの衝突箇所に対応させるために、緩衝材が複雑な形状になったとしても、緩衝材の製造が困難になることがなく、偏心錘の振動を確実に減衰できる緩衝材を確実に得ることが可能となる。
【００１０】
あるいは、前記緩衝材としては、硬質の金属をバネ状に形成した弾性体も採用できる。
このように、金属製でバネ状に形成された弾性体でも、小さな力で容易に変形するので、偏心錘の動きに反発することなく、緩衝材が柔軟に変形するようになり、回転錘の振動を効率よく吸収するようになる。
そのうえ、金属製の弾性体は、表面の摩擦抵抗が小さいので、回転錘が緩衝材に衝突した際に、緩衝材が偏心錘から吸収する揺動エネルギーの量が小さくなり、緩衝材で偏心錘の振動を吸収するようにしても、回転錘の揺動エネルギーの損失が低減されるようになる。
【００１１】
さらに、前記緩衝材は、裏面が剥離紙で被覆可能な粘着面とされ、この粘着面で固定されるものであることが望ましい。
このようにすれば、緩衝材を回転錘あるいはムーブメントに固定するにあたり、ネジ孔等の固定手段を回転錘あるいはムーブメントに別途設ける必要がなくなるので、設計済の偏心錘付時計に緩衝材を設置するにあたり、偏心錘付時計の改造が必要なく、かつ、緩衝材を設置しても、接着剤を塗布する工程が不要となり、偏心錘付時計の組立作業を煩雑にすることがない。
【００１３】
この際、前記緩衝材としては、前記回転錘の回転領域と同軸の円周上に点在する複数の弾性体を採用することができる。このようにすれば、緩衝材の設置数およびその間隔を適宜設定することにより、回転錘がムーブメントに近づく方向へ移動すると、回転する偏心錘の回転角度位置によらず、回転錘がムーブメントに当接する前に、緩衝材に必ず当接するようになるので、回転錘とムーブメントとの直接衝突が確実に防止されるうえ、回転錘が大きく振動することがなくなり、衝撃による計時誤差が確実に低減されるようになる。
【００１４】
あるいは、前記緩衝材としては、前記回転錘の回転領域の周方向に沿って延びる弾性体も採用できる。
このように、回転錘の回転領域の周方向に沿って延びる緩衝材を採用し、回転錘の回転軸と同軸円周上に配置すれば、回転領域から逸脱した回転錘とは、平面視で重なる部分全体が同時に当接するので、緩衝材が比較的柔らかく、かつ、細長いものであっても、この緩衝材は、充分広い面で回転錘の振動を受け、振動を速やかに吸収するようになり、この点からも、衝撃による計時誤差が低減されるようになる。
【００１５】
また、前述の偏心錘付時計において、前記回転錘は、平面形状が扇型とされ、その外周縁部分が前記ムーブメント側に突出して厚肉とされ、この厚肉となった部分が前記重錘部とされているものであり、前記重錘部の前記ムーブメントに対向する部分に、前記緩衝材が取り付けられていることが望ましい。
このようにすれば、回転錘側に緩衝材が設けられるので、回転錘の回転角度位置によらず、緩衝材が重錘部およびムーブメントの間に必ず配置されることとなり、重錘部とムーブメントとの直接衝突が確実に回避されるうえ、大きな衝撃により、重錘部が大きく変位しようとすると、重錘部の変位を緩衝材が速やかに吸収するので、大きな衝撃が加わっても、回転錘の振動吸収が確実に行える。
【００１６】
この際、前記ムーブメントは、前記回転錘の形状に応じて前記回転錘と対向する面が階段状に形成されたものとし、前記ムーブメントには、その最上段を形成するとともに、前記回転錘が回転自在に取り付けられている受部材が設けられ、この受部材の外周縁に、前記緩衝材が取り付けられていることが好ましい。
このようにすれば、回転錘の回転軸に近い位置に緩衝材を設けても、当該位置では、回転錘の変位が外周縁よりも小さく、ムーブメント側に固定された緩衝材は、回転錘に近接して設けることができる。
これにより、受けた衝撃が軽いため、回転錘の振動幅が小さく、重錘部に設けた緩衝材では振動を充分吸収できない場合であっても、回転軸に近い位置に設けられた緩衝材が回転錘の振動を吸収するので、軽い衝撃による振動でも、速やかに制振されるうえ、大きな衝撃の場合には、ムーブメントおよび回転錘の両方の緩衝材が振動を吸収するようになる。
【００１７】
さらに、前述の偏心錘付時計において、前記回転錘がその回転面と交差する方向に縦振動する際における当該回転錘の固有振動数が１００Ｈｚ以上となるように、前記腕部の剛性が設定されていることが望ましい。
ここで、腕時計や懐中時計等の時計は、通常の使用条件において、５０〜６０Ｈｚの周波数の振動を受けることが多く、回転錘の縦振動における固有振動数が５０〜６０Ｈｚの近傍にあると、回転錘が共振して振幅が大きくなって、ムーブメントと衝突しやすくなる。そして、回転錘がムーブメントに衝突すると、比較的高い周波数の振動が発生し、発電機のロータ、あるいは、調速手段としてのテンプと、その軸受との摩擦抵抗、ならびに、輪列を形成する歯車と、その軸受との摩擦抵抗を低下させるので、時計が進む可能性が高くなる。
そこで、回転錘の腕部の剛性を従来のものよりも向上させ、回転錘の固有振動数が１００Ｈｚ以上となるようにすれば、通常の使用条件で使用する限りでは、回転錘の共振現象が生じにくくなり、ロータあるいはテンプと軸受との摩擦抵抗、ならびに、輪列の歯車と軸受との摩擦抵抗が低下しないようになり、時計の進みが防止されるようになる。
【００１９】
また、前述の偏心錘付時計において、前記制振材としては、ゴム、軟質合成樹脂および熱可塑性エラストマのいずれからなる比較的柔らかい弾性体が採用できる。
このような比較的柔らかい弾性体からなる制振材を採用すれば、制振材が小さな力でも容易に変形するので、偏心錘の動きに反発することなく、制振材が柔軟に変形するようになり、薄い制振材でも偏心錘の振動を効率よく吸収するようになる。
【００２０】
あるいは、前記制振材としては、硬質の金属をバネ状に形成した弾性体も採用することができる。
このように、金属製でバネ状に形成された弾性体でも、小さな力でも容易に変形するので、偏心錘の動きに反発することなく、制振材が柔軟に変形するようになり、偏心錘の振動を効率よく吸収することが可能となる。
【００２１】
さらに、前記制振材は、裏面が剥離紙で被覆可能な粘着面とされ、この粘着面で固定されるものであることが望ましい。
このようにすれば、腕部の貫通するネジ挿通孔の周辺に制振材を貼り付ければ、偏心錘から制振材が脱落することがないので、制振材を介装するようにしても、偏心錘のムーブメントへの取付作業が容易に行え、偏心錘付時計の組立作業を煩雑にすることがない。
【００２２】
また、前述の偏心錘付時計において、前記ムーブメントには、前記指針を回転駆動するために、前記ゼンマイの駆動力を伝達する輪列と、前記指針の回転速度を制御する調速手段とが設けられていることが好ましい。
このように、指針を回転駆動する偏心錘付時計には、発電機のロータや調速手段テンプ等の回転体が必ず設けられており、このような回転体の回転軸と、その回転軸は、衝撃により偏心錘が振動すると、指針の表示時刻が進んでしまうが、前述のような緩衝材を設け、緩衝材で偏心錘の振動を吸収すれば、偏心錘の振動は、速やかに減衰するので、当該振動が発電機やテンプ等の調速手段に到達しても、振動で時計が著しく進むことがなく、衝撃による計時誤差が低減される。
【００２３】
さらに、前述のような偏心錘付時計において、前記輪列を介して前記ゼンマイの駆動力が伝達される発電機が設けられ、前記調速手段は、前記発電機が発生する電力で作動するとともに、前記発電機に設けられたロータの回転速度を制御するものであることが望ましい。
このような機械式電気制御時計でもある偏心錘付時計に、前述のような緩衝材を設け、緩衝材で偏心錘の振動を吸収すれば、衝撃による計時誤差が低減され、特に、水晶振動子で調速を行う場合には、時計に多少の衝撃を加えても、普及品の時計であっても、１ヶ月に±１５秒以内、高級品にあっては、１ヶ年に±１０秒以内の高精度が維持されるようになる。
【００２４】
また、本発明においては、前述の偏心錘付時計として、前記調速手段は、周期的に振動するテンプに係合するアンクルでガンギ車を所定の回転速度で回転させる機械式時計も採用できる。
このような機械式時計に、前述のような緩衝材を設け、緩衝材で偏心錘の振動を吸収すれば、衝撃による振動が速やかに吸収され、時計に多少の衝撃を加えても、調速手段のテンプ、アンクルおよびガンギ車、ならびに、輪列の歯車と、その軸受の摩擦抵抗が低下しなくなるので、衝撃が加わっても時計が進むことが殆どなくなり、指示時刻の精度が維持されるようになる。
【００２５】
あるいは、本発明においては、前述の偏心錘付時計として、前記ムーブメントには、前記指針が連結された複数の歯車を備えた輪列と、この輪列を回転駆動するステップモータと、このステップモータの回転速度を制御する調速手段とが設けられているアナログクォーツ時計も採用できる。
このようなアナログクォーツ時計に、前述のような緩衝材を設け、緩衝材で偏心錘の振動を吸収すれば、衝撃による振動が速やかに吸収され、時計に多少の衝撃を加えても、輪列の歯車と、その軸受の摩擦抵抗が低下しなくなるので、衝撃が加わっても時計が進むことが殆どなくなり、指示時刻の精度が維持されるようになる。
【００２６】
【発明の実施の形態】
以下に、本発明の実施の一形態を図面に基づいて説明する。
図１には、本実施形態に係る偏心錘付時計である腕時計１の概略構造が示されている。図１において、腕時計１は、機械的エネルギを供給する機械的エネルギー源であるゼンマイ11を備えた香箱10と、ゼンマイ11の駆動力で電力を発生する発電機20と、ゼンマイ11を自動的に巻き上げる自動巻き上げ機構30と、ゼンマイ11の駆動力を発電機20に伝達する駆動力伝達手段としての輪列40と、発電機20のロータ21の回転速度を制御する回転制御手段である制御回路50とを備えた電子制御式機械時計となっている。
香箱10は、ゼンマイ11の内端が固定される香箱真12と、この香箱真12に固定された角穴車13と、輪列40と係合する香箱車14とを備えたものとなっている。このうち、角穴車13は、図示しない丸穴車、自動巻き上げ機構30およびコハゼ15に係合しており、コハゼ15との係合により、逆回転しないようになっている。
【００２７】
自動巻き上げ機構30は、時計方向および反時計方向の両方向について回転自在に設けられた偏心錘としての回転錘31と、この回転錘31および角穴車13の間に設けられた切換車32，33および伝エ車34とを備えたものとなっている。
切換車32は、伝エ車34に対して、回転錘31から伝達される回転駆動力のうち、回転錘31の時計方向の回転駆動力のみを伝達するものである。また、この切換車32は、切換車33に対しては、時計方向および反時計方向の両方向の回転駆動力を等速度で伝達するようになっている。
切換車33は、切換車32から伝達される回転駆動力のうち、切換車32の時計方向の回転駆動力、すなわち、回転錘31の反時計方向の回転駆動力のみを伝達するものである。
伝エ車34は、切換車32，33により時計方向にのみ回転駆動されるようになっている。そして、このような自動巻き上げ機構30により、回転錘31が時計方向および反時計方向のいずれの方向に回転しても、その回転駆動力で、ゼンマイ11が自動的に巻き上げられるようになっている。
なお、丸穴車は、図示しないキチ車を介して、やはり図示しない巻真に連結され、これにより、巻真の先端に設けられた竜頭を手動で回転操作すると、ゼンマイ11が巻き上げられるようになっている。
【００２８】
輪列40は、二番車42ないし五番車45の複数の歯車で香箱車14の回転駆動力を増速して発電機20のロータ21に伝達するものである。これらの歯車42〜45には、発電効率の良好な回転数で発電機20のロータ21を回転させるための増速比が設定されている。
また、二番車42には、三番車43が係合している。この三番車43には、二番車42と同軸位置に設けられるとともに、二番車42とは別個に回転する四番車44が係合している。これにより、二番車42の回転駆動力が増速されて四番車44に伝達されるようになっている。二番車42の回転軸には、時針47が設けられ、四番車44の回転軸には、分針49が設けられている。
これらの時針47および分針49は、時刻表示手段であり、この時刻表示手段は、時刻を示す数字等が刻まれた、図示しない文字板を含んでいる。
また、輪列40を形成する歯車42〜45およびロータ21の回転軸は、図示しない軸受により、回転自在に支持されている。
【００２９】
発電機20は、略環状に形成されるとともに、中間部分にコイル22が巻かれたステータ23を備え、ステータ23のギャップの間に、永久磁石からなるロータ21を回転自在に設けた交流発電機である。
ここで、発電機20が効率よく発電できるように、ロータ21の回転数、ロータ21とステータ23とのギャップの寸法、ロータ21を形成する永久磁石の材質、コイル22の巻線の太さや巻き数が適宜設定されている。
【００３０】
制御回路50は、発電機20のコイル22に流す制動電流を発生し、この制動電流でロータ21に電磁ブレーキ力を加わえるものとなっている。
この制御回路50には、ダイオードおよび平滑コンデンサからなる整流回路51と、コイル22に流れる電流を調節するための電流調節回路52と、発電機20のロータ21の回転数に応じた所定の制御信号を、電流調節回路52へ出力する回転数制御回路53とが設けられている。なお、整流回路51および電流調節回路52は、発電機20のコイル22の両端に並列に接続されている。そして、発電機20で得られた交流電力は、整流回路51で直流電力に変換され、この直流電力が回転数制御回路53に供給されている。
なお、制動電流の周波数は、百数十Ｈｚ程度のものとなっている。
【００３１】
電流調節回路52は、トランジスタ等のスイッチング素子と直流抵抗とを直列に接続したものであり、スイッチング素子のＯＮ−ＯＦＦ動作を高速で繰り返させ、ＯＦＦ時間に対するＯＮ時間を調節するようになっている。これにより、制御回路50は、発電機20のコイル22に流れる制動電流を加減し、ロータ21に加わる電磁ブレーキの制動力を微妙に調節するものとなっている。
【００３２】
回転数制御回路53は、常に安定した周波数で発振する図示しない水晶発振器により得られる基準信号と、発電機20の交流出力電圧に基づいて検出したロータ21の回転数とを比較し、その差に基づいて算出した制御信号を電流調節回路52へ出力することにより、ロータ21が所定の回転数で回転するように、ロータ21に加わる電磁ブレーキの制動力を調節するものとなっている。
制御信号は、例えば、Ｈｉｇｈ状態およびＬｏｗ状態が交互に繰り返される矩形波電圧信号が採用でき、発電機20のロータ21の回転速度を遅らせる場合には、Ｈｉｇｈ状態時間のＬｏｗ状態時間に対する割合、換言すれば、デューティ比を大きくし、これにより、電磁ブレーキの制動力を強める一方、発電機20のロータ21の回転速度を速くする場合には、デューティ比を小さくし、これにより、電磁ブレーキの制動力を弱めるものとなっている。
【００３３】
図２には、腕時計１のムーブメント60が示されている。このムーブメント60は、腕時計１に設けられる図示しないケースの内部に収納できるように、前述の香箱10、発電機20、自動巻き上げ機構30、輪列40および制御回路50を一体化したものである。
図２において、ムーブメント60には、ボールベアリング71を介して回転錘31が回転自在に設けられている。この回転錘31は、図３にも示されるように、全体の平面形状が扇型のものであり、その外周縁部分がムーブメント60側に多段階に突出して厚肉となっている。
そして、回転錘31の薄肉となった部分がムーブメント60に回転自在に支持される腕部31A となっている。この腕部31A には、回転錘31に適度な剛性を付与するために、肉抜孔31C が形成されている（図３参照）。
一方、回転錘31の厚肉となった部分は、この腕部31A の自由端となる部分に設けらている重錘部31B となっている。この重錘部31B は、タングステン合金や金合金等の比重の大きい材質から形成されたものとなっている。
ここで、腕部31A は、通常の回転錘の腕部よりも厚さ寸法が大きいもの、通常の回転錘の腕部よりも小さな肉抜孔31C を有するもの、通常の回転錘よりも広い角度の扇型に形成されたもの、通常の回転錘よりも径方向の寸法が短いもの、あるいは、回転錘を形成する通常の材料よりも硬質の材料からなるものであり、通常の腕部よりも大きな剛性が設定されている。これにより、腕時計１に加わった衝撃により、回転錘31がその回転面と交差する方向に縦振動する際に、回転錘31の固有振動数が１００Ｈｚ以上となるように構成されている。
【００３４】
ムーブメント60は、図４にも示されるように、回転錘31の形状に応じて回転錘31と対向する面が階段状に形成されたものである。ムーブメント60には、その最上段を形成するとともに、回転錘31が回転自在に取り付けられている受部材61が設けられている。
【００３５】
このような回転錘31およびムーブメント60との間には、図２の如く、腕時計１が衝撃を受け、回転錘31の回転領域から当該回転錘31が逸脱してムーブメント60と衝突する際に発生する振動を吸収する振動吸収手段が設けられている。
そして、振動吸収手段は、ゴム、軟質合成樹脂および熱可塑性エラストマのいずれからなる比較的柔らかい弾性体からなる緩衝材72〜74となっている。これらの緩衝材72〜74は、回転錘31の回転領域の周方向に沿って延びるものとなっている。
【００３６】
すなわち、図３の如く、重錘部31B には、ムーブメント60と対向する対向面が多段階に形成され、これらの面は、回転錘31の外周縁に沿って延びている。
前述した緩衝材72〜74のうち、緩衝材72, 73は、回転錘31側に設けられ、ムーブメント60側に向かって突出する弾性体となっている。
そして、緩衝材72は、三つの対向面のうち、ムーブメント60側に最も突き出た対向面75に応じた細長い形状を有するものである。緩衝材72の裏面は、粘着面とされ、この粘着面により、緩衝材72は、対向面75に固定されている。
また、緩衝材73は、三つの対向面のうち、中段の対向面76に応じた細長い形状を有するものである。緩衝材73の裏面は、緩衝材72と同様に、粘着面とされ、この粘着面により、緩衝材73は、対向面76に固定されている。
【００３７】
一方、ムーブメント60の受部材61は、図４の如く、隣接する受部材62とともに、一部分が切り欠かれた略円形の平面形状を形成するものとなっている。また、受部材61の周縁部分には、前述したように切り欠き部77と、ネジの頭部を収納する凹部78とが設けられ、受部材62の周縁部分には、切り欠き部79が設けられている。このような受部材61，62の外周縁には、当該外周縁に沿って延びる緩衝材74が固定されている。
ここで、緩衝材74は、ムーブメント60側に設けられ、回転錘31側に向かって突出する弾性体となっている。
そして、緩衝材74は、長さの異なるものが複数用意され、切り欠き部77，79および凹部78を避けて、受部材61，62のそれぞれに取り付けられている。
緩衝材74の裏面は、緩衝材72，73と同様に、粘着面とされ、この粘着面により、緩衝材74は、受部材61，62に固定されている。
【００３８】
図５には、回転錘31の支持構造が拡大されて示されている。図５において、ムーブメント60側の受部材61には、ボールベアリング71の外輪81が固定され、この外輪81の内側に、ボール82を挟んで設けられている内輪83が回転錘31の回転軸となっている。回転錘31は、その腕部31A を貫通するネジ84により内輪83に固定されている。
【００３９】
ここで、ネジ84の頭部84A と回転錘31の腕部31A との間、および、回転錘31の腕部31A とボールベアリング71の内輪83との間には、回転錘31が、その回転面と交差する方向に振動する縦振動を抑制する制振材85，86がそれぞれ介装されている。これらの制振材85，86の各々は、ゴム、軟質合成樹脂および熱可塑性エラストマのいずれからなる比較的柔らかい弾性体のリングである。
制振材85，86の裏面、具体的には、腕部31A と対向する面は、緩衝材72〜74と同様に、粘着面とされ、この粘着面により、制振材85，86は、腕部31A に固定されている。
なお、緩衝材72〜73および制振材85，86は、固定を行う前まで、その裏面の粘着面が、図示しない剥離紙で被覆されていたものである。この剥離紙は、固定を行うまで、緩衝材72，73の裏面の粘着力を確保するものである。
【００４０】
前述のような本実施形態によれば、次のような効果が得られる。
すなわち、回転錘31とムーブメント60との間に、弾性体からなる緩衝材72〜74を設け、回転錘31の振動を緩衝材72〜74で吸収するようにしたので、腕時計１が受けた衝撃により、回転錘31の回転領域から回転錘31が逸脱してムーブメント60と衝突し、この衝突により回転錘31が振動しても、当該振動が速やかに減衰し、発電機20のロータ21に到達しても、振動で腕時計１が進むことが殆どなくなり、衝撃による時刻指示誤差を低減することができる。
特に、比重の大きい材質で重錘部31B を形成した場合には、前述の時刻指示誤差を低減できる、という効果が一層顕著なものとなる。
具体的には、タングステン合金や金合金等の比重の大きい材質から重錘部31B が形成されている回転錘31を採用すると、回転錘31の周縁部分が他の部分よりも著しく重くなり、衝撃により腕部31A が撓みやすくなり、回転錘31とムーブメント60との衝突頻度が増える。
しかしながら、回転錘31とムーブメント60との間に、前述の緩衝材72〜74を設け、回転錘31とムーブメント60との直接衝突をなくし、腕時計１が進まないようにすることにより、タングステン合金や金合金等の比重の大きい材質からなる重錘部31B を採用しても、時刻指示誤差を有効に低減することができる。
【００４１】
しかも、回転錘31とムーブメント60との間に緩衝材72〜74を設けることにより、回転錘31がムーブメント60に直接衝突しないようにしたので、衝突時に発生する耳障りな音を軽減でき、かつ、ムーブメント60に傷が付くことを未然に防止できるうえ、回転錘31とムーブメント60との衝突による切り粉の発生を未然に防止できる。
そして、ムーブメント60に傷が付かなくなるので、裏蓋にガラスを嵌め込んだ裏スケルトンとしても、腕時計１の美観を長く保つことができるうえ、歯車等の間に詰まって輪列40を停止させるおそれのある切り粉が発生しないので、使用中に腕時計１が不意に止まる等の不具合を防止できる。
【００４２】
また、緩衝材72〜74の材質として、ゴム、軟質合成樹脂および熱可塑性エラストマのいずれからなる比較的柔らかい弾性体を採用し、小さな力でも緩衝材72〜74が容易に変形するようにしたので、回転錘31の動きに反発することなく、緩衝材72〜74が柔軟に変形するようになり、薄い緩衝材72〜74でも回転錘31の振動を効率よく吸収するようになり、回転錘31とムーブメント60との隙間が狭くとも、回転錘31の振動を確実に減衰することができる。
そのうえ、ゴム、軟質合成樹脂および熱可塑性エラストマのいずれからなる弾性体は、様々な形状に加工することが容易なので、回転錘31とムーブメント60との衝突箇所に対応させるために、緩衝材72〜74が複雑な形状になったとしても、緩衝材72〜74の製造が困難になることがなく、回転錘31の振動を確実に減衰できる緩衝材72〜74を確実かつ容易に得ることができる。
【００４３】
さらに、緩衝材72〜74の裏面を粘着面とし、この粘着面で固定するようにしたので、緩衝材72〜74を固定するにあたり、ネジ孔等の固定手段を回転錘31やムーブメント60に別途設ける必要がなく、設計済の偏心錘付時計１に緩衝材72〜74を設置するにあたり、偏心錘付時計１の改造が必要なく、かつ、緩衝材72〜74を設置するようにしても、接着剤を塗布する工程が不要となり、偏心錘付時計１の組立作業を煩雑にすることがない。
【００４４】
また、ムーブメント60に回転自在に設けられた回転錘31に対し、緩衝材72〜74を、回転錘31の回転領域の周方向に沿って延びる弾性体とし、回転錘31の回転軸と同軸円周上に配置したので、緩衝材72〜74は、回転領域から逸脱した回転錘31と、平面視で重なる部分全体が同時に当接するようになり、緩衝材72〜74が比較的柔らかく、かつ、細長いものであっても、充分広い面で回転錘31の振動を受けるようになり、回転錘31の振動を速やかに吸収でき、この点からも、衝撃による計時誤差を低減することができる。
【００４５】
さらに、平面形状が扇型とされ、その外周縁部分がムーブメント60側に突出して厚肉とされ、この厚肉となった部分が重錘部31B とされている回転錘31を採用し、重錘部31B のムーブメント60に対向する部分に、緩衝材72, 73を取り付け、回転錘31の回転角度位置によらず、緩衝材72, 73が重錘部31B およびムーブメント60の間に必ず配置されるようにしたので、重錘部31B とムーブメント60との直接衝突を確実に回避できるうえ、大きな衝撃により、重錘部31B が大きく変位しようとすると、重錘部31B の変位を緩衝材72, 73が速やかに吸収するので、大きな衝撃が加わっても、回転錘31の振動を確実かつ速やかに吸収できる。
【００４６】
そして、回転錘31と対向する面が階段状に形成されたムーブメント60の最上段を形成する受部材61, 62の外周縁に、緩衝材74を取り付けるとともに、この緩衝材74の回転錘31と対向する面を、回転錘31に近接して設けたので、重錘部31A に設けた緩衝材72, 73では吸収できない比較的小さな振動を緩衝材74が吸収するようになり、軽い衝撃による振動でも、速やかに制振できるうえ、大きな衝撃の場合には、緩衝材72〜74のすべてで振動の吸収が行われるので、回転錘31の振動を確実かつ速やかに吸収できる。
【００４７】
また、回転錘31の縦振動における固有振動数が１００Ｈｚ以上となるように、腕部31A の剛性を設定し、通常の使用において回転錘31が共振しないようにしたので、回転錘31とムーブメント60との衝突が生じにくくなり、ロータ21と軸受との摩擦抵抗および輪列40の歯車42〜45とその軸受との摩擦抵抗が、回転錘31とムーブメント60との衝突により低下することが少なくなり、腕時計１の進みを防止することができる。
【００４８】
さらに、回転錘31の腕部31A を貫通するネジ84により、ムーブメント60に設けられたボールベアリング71の内輪83に、回転錘31の腕部31A を固定し、ネジ84の頭部84A と腕部31A との間、および、腕部31A と内輪83との間に、回転錘31の縦振動を抑制する制振材85, 86をそれぞれ介装し、通常の回転動作において、回転錘31が振動しても、制振材85, 86で回転錘31の振動を吸収するようにしたので、回転錘31の振動がムーブメント60側へ殆ど伝達されず、当該振動でロータ21の軸受の摩擦抵抗が小さくなることがなく、振動による計時誤差を低減できる。
【００４９】
また、ゴム、軟質合成樹脂および熱可塑性エラストマのいずれからなる比較的柔らかい弾性体製の制振材85, 86を採用し、小さな力でも制振材85, 86が容易に変形するようにしたので、回転錘31の動きに反発することなく、制振材85, 86が柔軟に変形するようになり、薄い制振材85, 86でも回転錘31の振動を効率よく吸収することができる。
【００５０】
さらに、制振材85, 86の裏面を粘着面とし、この粘着面で固定するようにしたので、制振材85, 86を固定するにあたり、ネジ孔等の固定手段を回転錘31やムーブメント60に別途設ける必要がなく、設計済の偏心錘付時計１に制振材85, 86を設置するにあたり、偏心錘付時計１の改造が必要なく、かつ、腕部31A を貫通するネジ挿通孔の周辺に制振材85, 86を貼り付ければ、回転錘31から制振材85, 86が脱落することがないので、制振材85, 86を介装するようにしても、回転錘31のムーブメント60への取付作業を容易に行うことができ、偏心錘付時計１の組立作業を煩雑にすることがない
【００５１】
さらに、輪列40を介してゼンマイ11で発電機20を駆動し、水晶発振器を備えた制御回路50を発電機20の電力で作動させ、この制御回路50で発電機20のロータ21の回転速度を制御する機械式電気制御時計に、前述の緩衝材72〜74を設け、緩衝材72〜74で回転錘31の振動を吸収するようにしたので、衝撃による計時誤差が低減され、衝撃を受けても、水晶振動子を用いて調速を行う機械式電気制御時計の高精度を維持することができる。
【００５２】
なお、本発明は、前記各実施形態に限定されるものではなく、次に示すような変形などをも含むものである。
すなわち、緩衝材および制振材としては、ゴム、軟質合成樹脂および熱可塑性エラストマのいずれからなる比較的柔らかい弾性体製のものに限らず、硬質の金属をバネ状に形成した弾性体でもよい。
この場合、回転錘の回転領域の周方向に延びる薄い板バネ等を緩衝材として用いれば、小さな力で容易に緩衝材が変形するようになるので、比較的柔らかい弾性体製のものと同様に、回転錘の振動を効率よく吸収できるうえ、金属の表面は、摩擦抵抗が小さいので、回転錘が衝突しても、緩衝材が回転錘から吸収する回転方向の運動エネルギーの量が小さくなり、緩衝材で回転錘の振動を吸収するようにしても、回転錘の回転エネルギーの損失が低減されるようになる。
【００５３】
また、緩衝材および制振材の固定手段としては、裏面に設けた粘着剤で固定する粘着式のものに限らず、ネジ等の接合具で固定するネジ式のものや、その裏面に立設されたほぞを、ムーブメントや偏心錘側に設けた孔に圧入する等の圧入固定式のものでもよい。
【００５４】
さらに、ケースの周縁近傍に設けられる緩衝材としては、回転錘側に設けられ、ムーブメントに向かって突出する弾性体に限らず、逆に、ムーブメント側に設けられ、回転錘に向かって突出する弾性体でもよく、要するに、その突出寸法を適宜設定することにより、偏心錘がムーブメントに近づく方向へ移動すると、偏心錘がムーブメントに当接する前に、緩衝材に必ず当接すればよい。
同様に、ケースの半径方向中間部分に設けられる緩衝材としては、ムーブメント側に設けられ、回転錘に向かって突出する弾性体に限らず、逆に、回転錘側に設けられ、ムーブメントに向かって突出する弾性体でもよい。
【００５５】
この際、緩衝材としては、回転錘の回転領域の周方向に沿って延びる帯状のものに限らず、回転錘の回転領域と同軸となる円周上に部分的に設けられる点状のものでもよい。
例えば、回転錘に設けられる緩衝材としては、図６に示されるように、回転錘31の外周縁に設けられる点状の緩衝材72A や、回転錘31の回転領域と同軸の円周上、具体的には、図７に示されるように、回転錘31の外周縁に、点在する複数の緩衝材72B も採用できる。
ムーブメントに設けられる緩衝材としては、回転錘の回転領域と同軸の円周上に点状に設けられるものや、図８に示されるように、階段状に形成されたムーブメント60の最下段を形成する地板60A の外周縁に点在する点状の緩衝材74A や、図９に示されるように、ムーブメント60の各段の外周縁に点在する点状の緩衝材74B でもよい。
要するに、衝撃により、回転錘がムーブメントに近づく方向へ移動する際に、回転錘およびムーブメントが当接する前に、回転錘および緩衝材、あるいは、ムーブメントおよび緩衝材が先に当接する、換言すれば、回転錘およびムーブメントが最初に当接するものが緩衝材となるように、緩衝材の各寸法および位置を設定すればよい。
【００５６】
さらに、自動巻き上げ機構としては、時計方向および反時計方向のいずれの方向に回転錘が回転しても、ゼンマイが巻き上げられるようにするために、回転錘の回転駆動力の方向を切り替える一対の切換車を有する切換車式のものに限らず、回転錘の回転に連動して揺動するＶ字形の爪レバーと、この爪レバーのＶ字の間に配置された爪車とを備え、爪レバーが時計方向に揺動すると、そのＶ字の一端に設けられた爪が回転駆動力を爪車に伝達し、爪レバーが反時計方向に揺動すると、そのＶ字の他端に設けられた爪が回転駆動力を爪車に伝達する爪レバー式の自動巻き上げ機構でもよく、自動巻き上げ機構の具体的な構造は、実施にあたり適宜選択すればよい。
【００５７】
さらに、回転錘としては、時計方向および反時計方向の両方向に回転可能となったものに限らず、時計方向および反時計方向のいずれか一方向にのみ回転可能となったものでもよい。
また、偏心錘としては、揺動可能な揺動角度が３６０度以上とされ、何回転でも回転することができる回転錘に限らず、揺動可能な角度が３６０度未満、すなわち、一回転することができない揺動錘でもよい。
また、回転錘としては、別々に成形した腕部および重錘部を互いに接合したツーピース状のものに限らず、最初から腕部および重錘部を一体成形したワンピース状のものでもよく、あるいは、三つ以上にした分割した部品を互いに接合したものでもよい。
【００５８】
さらに、偏心錘付時計としては、発電機のロータの回転速度を制御回路で調速するものに限らず、振動するテンプで揺動されるアンクルで、ガンギ車の回転速度を制御する調速手段を備えた自動巻機械式時計、あるいは、輪列を構成する歯車に指針が連結されるとともに、この輪列を回転駆動するステップモータの回転速度を制御する調速手段とが設けられている発電機能付アナログクォーツ時計でもよく、要するに、輪列を形成する歯車等の回転体を軸受で支持している調速手段を備えた自動巻時計であればよい。
また、偏心錘付時計としては、腕時計に限らず、他の形式の携帯式時計でもよく、要するに、偏心錘によりゼンマイを巻き上げる自動巻機構を備えた時計であればよい。
【００５９】
【発明の効果】
前述のように、本発明によれば、衝撃を受けても、衝撃による計時誤差を低減することができる。
【図面の簡単な説明】
【図１】本発明の実施の一形態を示す概略構成図である。
【図２】前記実施形態のムーブメントを示す断面図である。
【図３】前記実施形態の回転錘を示す斜視図である。
【図４】前記実施形態のムーブメントを示す斜視図である。
【図５】前記実施形態の要部を示す拡大断面図である。
【図６】本発明の回転錘の変形例を示す図３に相当する図である。
【図７】本発明の回転錘の異なる変形例を示す図３に相当する図である。
【図８】本発明のムーブメントの変形例を示す図４に相当する図である。
【図９】本発明のムーブメントの異なる変形例を示す図４に相当する図である。
【符号の説明】
１  偏心錘付時計としての腕時計
11  ゼンマイ
20  発電機
21  ロータ
31  偏心錘としての回転錘
31A 腕部
31B 重錘部
40  輪列
47  指針としての時針
49  指針としての分針
50  調速手段を構成する制御回路
60  ムーブメント
61  受部材
72,72A,72B  緩衝材
73  緩衝材
74,74A,74B  緩衝材
84  ネジ
84A ネジの頭部
85，86  制振材
【図１】
0003832270.tif 000002
【図２】
0003832270.tif 000003
【図３】
0003832270.tif 000004
【図４】
0003832270.tif 000005
【図５】
0003832270.tif 000006
【図６】
0003832270.tif 000007
【図７】
0003832270.tif 000008
【図８】
0003832270.tif 000009
【図９】
0003832270.tif 000010